(57)【要約】      （修正有）【課題】異なる長さや表現形態を持ち応用範囲の広い薄帯型装飾マグネットの構造を提供する。【解決手段】薄帯型装飾マグネットの構造は、主に複数の装飾マグネット片材１を相互連結して長い形状の装飾マグネット帯１０を形成したものであり、各々の装飾マグネット片材１は、予め設けたデザインを有する軟質の薄い磁石で、最低一側面に磁性吸着力を持たせており、また、各装飾マグネット片材１間には結合強度の弱い連結部を設け、簡単に外力作用を受けられるようになっており、該装飾マグネット帯１０は、必要な長さに応じて各装飾マグネット片材１間の連結部において折り曲げたり切り離しが可能で、異なる使用場面における必要性を満足させることができる。【選択図】図６
0003139234.tif 000002
【実用新案登録請求の範囲】
【請求項１】
複数の装飾マグネット片材を相互連結して、装飾マグネット帯を形成した薄帯型装飾マグネットの構造であって、各々の装飾マグネット片材は、予め設けたデザインのある軟質の薄い磁石で、少なくとも一側面に磁性吸着力を持たせており、また、各装飾マグネット片材間には結合強度の弱い連結部を設け、該連結部が外力作用を受けると簡単に引き裂かれ、該装飾マグネット帯は、二つの装飾マグネット片材間において、簡単に裁断分離が行えることを特徴とする、薄帯型装飾マグネットの構造。
【請求項２】
前記装飾マグネット片材は、同様の外観デザインを持つことを特徴とする、請求項１記載の薄帯型装飾マグネットの構造。
【請求項３】
前記装飾マグネット片材は、異なる外観デザインを持つことを特徴とする、請求項１記載の薄帯型装飾マグネットの構造。
【請求項４】
前記連結部位は、各装飾マグネット片材間の幅が狭く繋がっている箇所により形成されることを特徴とする、請求項１乃至請求項３のいずれか１項記載の薄帯型装飾マグネットの構造。
【請求項５】
前記連結部位は、各装飾マグネット片材間の厚さが薄く繋がっている箇所により形成されることを特徴とする、請求項１乃至請求項３のいずれか１項記載の薄帯型装飾マグネットの構造。
【請求項６】
前記連結部位には、切り離し筋を形成することを特徴とする、請求項１乃至請求項３のいずれか１項記載の薄帯型装飾マグネットの構造。
【請求項７】
前記装飾マグネット片材の表側には、機能性筋目を設けることを特徴とする、請求項１乃至請求項３のいずれか１項記載の薄帯型装飾マグネットの構造。
【請求項８】
前記装飾マグネット片材の表側には、機能性筋目を設けることを特徴とする、請求項４記載の薄帯型装飾マグネットの構造。
【請求項９】
前記装飾マグネット片材の表側には、機能性筋目を設けることを特徴とする、請求項５記載の薄帯型装飾マグネットの構造。
【請求項１０】
前記装飾マグネット片材の表側には、機能性筋目を設けることを特徴とする、請求項６記載の薄帯型装飾マグネットの構造。
【請求項１１】
前記切り離し筋は、プレス筋、凹筋、くり貫き、ニードル孔、ドット孔、非貫通式凹孔、デコボコ表面等構造の内の一つによって形成されることを特徴とする、請求項６記載の薄帯型装飾マグネットの構造。
【請求項１２】
前記機能性筋目は、プレス筋、凹筋、くり貫き、ニードル孔、ドット孔、非貫通式凹孔、デコボコ表面等構造の内の一つによって形成されることを特徴とする、請求項７記載の薄帯型装飾マグネットの構造。
【請求項１３】
前記装飾マグネット片材の表面には、別にデザインラインを設けることを特徴とする、請求項１乃至請求項３のいずれか１項記載の薄帯型装飾マグネットの構造。
【請求項１４】
前記装飾マグネット片材の表面には、別にデザインラインを設けることを特徴とする、請求項４記載の薄帯型装飾マグネットの構造。
【請求項１５】
前記装飾マグネット片材の表面には、別にデザインラインを設けることを特徴とする、請求項５記載の薄帯型装飾マグネットの構造。
【請求項１６】
前記装飾マグネット片材の表面には、別にデザインラインを設けることを特徴とする、請求項６記載の薄帯型装飾マグネットの構造。
【請求項１７】
前記装飾マグネット片材の表面には、別にデザインラインを設けることを特徴とする、請求項７記載の薄帯型装飾マグネットの構造。
【請求項１８】
前記装飾マグネット片材の表面には、別にくり貫きデザインを設けることを特徴とする、請求項１乃至請求項３のいずれか１項記載の薄帯型装飾マグネットの構造。
【請求項１９】
前記装飾マグネット片材の表面には、別にくり貫きデザインを設けることを特徴とする、請求項４記載の薄帯型装飾マグネットの構造。
【請求項２０】
前記装飾マグネット片材の表面には、別にくり貫きデザインを設けることを特徴とする、請求項５記載の薄帯型装飾マグネットの構造。
【請求項２１】
前記装飾マグネット片材の表面には、別にくり貫きデザインを設けることを特徴とする、請求項６記載の薄帯型装飾マグネットの構造。
【請求項２２】
前記装飾マグネット片材の表面には、別にくり貫きデザインを設けることを特徴とする、請求項７記載の薄帯型装飾マグネットの構造。
【請求項２３】
前記装飾マグネット片材の表面には、別にくり貫きデザインを設けることを特徴とする、請求項１３記載の薄帯型装飾マグネットの構造。
【請求項２４】
前記装飾マグネット片材表面には、被覆層を設けることを特徴とする、請求項１乃至請求項３のいずれか１項記載の薄帯型装飾マグネットの構造。
【請求項２５】
前記装飾マグネット片材表面には、被覆層を設けることを特徴とする、請求項４記載の薄帯型装飾マグネットの構造。
【請求項２６】
前記装飾マグネット片材表面には、被覆層を設けることを特徴とする、請求項５記載の薄帯型装飾マグネットの構造。
【請求項２７】
前記装飾マグネット片材表面には、被覆層を設けることを特徴とする、請求項６記載の薄帯型装飾マグネットの構造。
【請求項２８】
前記装飾マグネット片材表面には、被覆層を設けることを特徴とする、請求項７記載の薄帯型装飾マグネットの構造。
【請求項２９】
前記装飾マグネット片材表面には、被覆層を設けることを特徴とする、請求項１３記載の薄帯型装飾マグネットの構造。
【請求項３０】
前記装飾マグネット片材表面には、被覆層を設けることを特徴とする、請求項１８記載の薄帯型装飾マグネットの構造。
【考案の詳細な説明】
【技術分野】
【０００１】
本考案は、薄帯型装飾マグネットの構造に係り、特に、異なる長さや表現形態を持ち応用範囲の広い装飾マグネット帯の構造に関する。
【背景技術】
【０００２】
公知技術に見られるマグネット片材の構造は、磁性によって吸着される材料（鋼鉄）の表面に吸着して、紙を挟み込むもので、図１に示すとおりである。そのマグネット片材３は、扁平片材状で、最低一つの表面にマグネットを設け、磁性によって吸着される表面（図はパソコンの鉄製ケース）に吸着し、該マグネット片材３のもう一方側には必要に応じてデザインライン、筋目、図案を設計し、これにより、全体のデザイン特色をアップさせている。この構造は、単一マグネット片材３の面積が限られている故、小面積紙片２の挟持や圧止に適用するが、もし大面積紙片２０に応用するなら、数個の装飾マグネット片材１で紙片の各端を抑えなければならず、応用する上で不便があり制限もされる。
【０００３】
図２に示した関連構造において、そのマグネット加圧棒３０は、その一側面にマグネットを備えた細長い板状圧止棒である。この種の構造のマグネット棒は、長くて硬い、対象物を圧して挟み込む本体を有しており、使用空間が比較的大きい故、大面積紙片２０の端を挟み込むのに適しているが、小面積紙片２の挟持や圧止に応用する場合は、空間浪費の上、視覚的にバランスが取れないことが明らかである。更に、全体が硬すぎる為に折り曲げる事が難しく、場所が狭小で限界があったり、折り曲げ圧止が必要な場合の応用には不適用である。
【０００４】
以上に開示した公知技術のマグネット片材３やマグネット加圧棒３０の構造は、異なる構造形態（小面積片材及び長い棒状）を持つものであり、それを適用する場面も異なり、相互間には共用や互換が不可能である。更には、その二者の構造は、どちらも任意に折り曲げ収納できない物であり、その携帯便利性にも影響を及ぼし、商品競争力及び消費者の使用コストにも過大な影響を与えている。
【０００５】
公知技術に見られる装飾マグネット片材（棒）の構造における前述欠点に鑑み、考案人はこれらの欠点に研究改善を加え、ついに本考案を誕生させた。
【考案の開示】
【考案が解決しようとする課題】
【０００６】
本考案は、公知技術のマグネット片材３やマグネット加圧棒３０の構造において、相互間の共用や互換が不可能であり、更には、その二者の構造は、どちらも任意に折り曲げ収納ができず、携帯便利性にも影響を及ぼし、商品競争力及び消費者の使用コストにも過大な影響を与えている点を解決する。
【課題を解決するための手段】
【０００７】
本考案の主な目的は、次の薄帯型装飾マグネットの構造を提供することにある。それは、消費者の必要に応じて、単一片材もしくは異なる長さを持ち複数の連続する長い片材等各種形態を選択して利用できるものであり、且つ、柔軟で折り曲げが簡単、切り離しが簡単という特性を持ち、応用範囲及び適用場面も更に広く実用性に富み、効果的に商品競争力を向上させ、消費者の使用コストを低下させる薄帯型装飾マグネットの構造である。
【０００８】
本考案のもう一つの目的は、次の薄帯型装飾マグネットの構造を提供することにある。それは、特殊な物語、テーマの人物や事物に関する内容（例えば７人の小人の童話の中の人物や動、植物デザイン）を、順序に基づいて連続的に複数の異なる形状の装飾マグネット片材または循環形成される装飾帯を作成し、応用時のデザイン変化性を豊富にする薄帯型装飾マグネットの構造である。
【０００９】
本考案のまた別の目的は、次の薄帯型装飾マグネットの構造を提供することにある。それは、連続する大量の装飾マグネット片材の装飾マグネット帯を一巻きにし、収納や運送に便宜を図る薄帯型装飾マグネットの構造である。
【００１０】
本考案が上述目的及び効果を達成する為に、採用した技術手段は次のとおりである。複数の装飾マグネット片材を相互に連結して装飾マグネット帯を形成する。それぞれの装飾マグネット片材は、予め設計したデザインを有する軟質の薄い磁石であり、且つ、最低一側面に磁性吸着力を持たせており、また、各装飾マグネット片材間には結合強度の弱い連結部位を設け、該連結部位は外力作用を受けると容易に切断され、該装飾マグネット帯は二つの装飾マグネット片材間で簡単に裁断分離される故、使用における切り離しを簡単にする。
【考案の効果】
【００１１】
以上説明したように、本考案の薄帯型装飾マグネットの構造は、必要に応じることが可能な、単一片材または異なる長さの細長形状片材の構造であり、また、全体構造は非常に柔軟で可撓性に富み、広い応用範囲を持ち、商品競争力を高めることができる。
【考案を実施するための最良の形態】
【００１２】
本考案の詳細構造、応用原理、作用、効果を完全に理解して戴く為に、下記に図面を添付して説明を加える。
【００１３】
図３乃至図５に、本考案の細長形状結合時の構造及びその応用状況見取図を示す。図２からはっきり見てとれるとおり、本考案は主に、複数の装飾マグネット片材１を相互連結して装飾マグネット帯１０を形成したものであり、各々の装飾マグネット片材１は、特定デザインを持つ軟質で薄い磁石であり、最低一側面に磁性吸着力を有し、且つ、表面側には、必要に応じてデザインライン１２、平行綿密な機能性筋目１３、くり貫き１４等の構造を設ける。該デザインライン１２及び機能性筋目１３は、連続するニードル孔、ドット孔、へこみ、非貫通式プレス筋、デコボコ表面構造により形成され、これによりデザインの変化性、及び装飾片材全体の可撓特性を高める。該装飾マグネット帯１０の側面には、必要に応じて被覆層を追加する。該被覆層は、紙、ＯＰＰ、ＰＶＣ、ＰＰ、ＰＥＴ、それらの類似材料によって成形され、直接、異なる色彩のインク塗料によって装飾マグネット片材１表面に塗布または印刷する。
【００１４】
各装飾マグネット片材１間には連結部１１を設け、該連結部１１は幅を縮小するか厚さを薄くすることにより連結強度を弱めており、更にプレス筋、へこみ、密集したニードル孔、ドット孔、非貫通の凹孔によって簡単に引き離し可能な跡を付けている。
【００１５】
使用時、該装飾マグネット帯１０は、大面積紙片２０の端を挟むか吸着圧止する他、該装飾マグネット帯１０の各装飾マグネット片材１を切り離して、小面積紙片２を個別に挟むか吸着圧止することも可能である故、被挟持物を物品表面にきちんと配列された状態を保持することができ、同時に、該装飾マグネット帯１０は、適当な長さを周囲に巻きつけた後、二端をくっつけると周囲装飾となる。以上により、各種異なる応用形態を持つものとなる。
【００１６】
また、本考案の上述において、装飾マグネット帯１０を構成している各装飾マグネット片材１は、基本的にそれぞれ同様の外観形状を成す他、更に、特殊な物語やテーマの人物、事物の内容（例えば７人の小人の童話の中の人物や動、植物デザイン、またはその他物語シリーズを表現する内容）を組み合わせ、順序に基づき、連続的に各々異なる形状の装飾マグネット片材１を作製することも可能である。更には、複数の異なるデザインの装飾マグネット片材１を作り、反覆循環連結によって装飾帯を形成、活力があり変化に富み制限を受けない応用ができる。同時に、生産においては、大量の装飾マグネット片材１を連結して非常に長い装飾マグネット帯１０を作ることが可能であり、更に該装飾マグネット帯１０を一巻きにすると、収納や運送にも便宜を図れるものとなる。
【００１７】
図６、図７は、本考案を単一片材に分裂した時の構造及びその応用状況の見取図である。両図に示すとおり、本考案の装飾マグネット帯１０は、全体が薄く巧妙であり、且つ、表面の機能性筋目１３の設計により、その全体は非常に柔軟で可撓性のある特性を持っている。折り曲げ表面（例えばパソコンの外殻体のエッジ折り曲げ箇所）に対して装飾を中断することなく、吸着する使用形態にも適用することができる。また、短い長さの装飾マグネット帯１０や単一の装飾マグネット片材１を使用したい場合は、直接外力で、予め二つの装飾マグネット片材１間に設けた連結部１１に作用を及ぼすと、該連結部１１は力を受けて裂け目１０１が形成され切り離される。よって、切り離して使用する上での操作に更なる便利性を加えている。
【００１８】
図８、図９は、本考案の被挟持物を挟み込んで吊るす応用見取図を示している。両図から、本考案を次のような応用場面が理解される。二つの装飾マグネット片材１の間の連結部１１を相互に対称的に折り、二つの装飾マグネット片材１で、小面積紙片２（または比較的軽量の被挟持物）を相互に吸着して挟み込んだ後、フック４（またはその他の吊る下げ装置）を折り曲げた連結部位１１に通し、小面積紙片２を引き掛けて展示する。また、もし引き掛けられる物件が大面積紙片２０（または重量のある被挟持物）であり、大きな吸着力が必要な場合は、重量の違いによって、両側の長さの長い装飾マグネット帯１０（複数の装飾マグネット片材１により構成される）を相互対称に折ることにより、比較的大きな吸着挟持力を形成できる。更に、フック４（またはその他の吊り下げ装置）を装飾マグネット帯１０間の連結部１１に通すと、重量のある大面積紙片２０を吊り下げることができ、これはもう一つの応用形態となる。
【００１９】
前述からわかるとおり、本考案の薄帯型装飾マグネットの構造は、確実に、必要に応じて、単一片材または異なる長さの細長形状片材の構造とすることができる。また、全体構造は非常に柔軟で可撓性に富み、広い応用範囲を持ち、商品競争力を高める故、確実に産業上における利用性、新規性、進歩性を有するものである。
【００２０】
但し、上述したものは本考案の一実施例に過ぎず、本考案の実施範囲を制限するものではない。即ち、本考案に係る実用新案登録請求の範囲の記載に基づく同等の変化と修飾は全て、本考案の実用新案登録請求の範囲に含まれるものとする。
【図面の簡単な説明】
【００２１】
【図１】公知技術に見られる装飾マグネットの構造図
【図２】公知技術に見られる装飾マグネット棒の構造図
【図３】本考案の細長形状に結合した場合の構造図
【図３ａ】図３の局部拡大図
【図４】本考案の細長形状構造時の応用状況図
【図５】本考案を単一片材に切り離した時の構造図
【図６】本考案が単一片材時の応用状況図
【図７】本考案の被挟持物を挟み込んで吊り下げた場合の応用図(１)
【図８】本考案の被挟持物を挟み込んで吊り下げた場合の応用図(２)
【符号の説明】
【００２２】
１      装飾マグネット片材
１０    装飾マグネット帯
１０１  裂け目
１１    連結部
１２    デザインライン
１３    機能性筋目
１４    くり貫き
２      小面積紙片
２０    大面積紙片
３      マグネット片材
３０    マグネット加圧棒
４      フック
【図１】
0003139234.tif 000003
【図２】
0003139234.tif 000004
【図３】
0003139234.tif 000005
【図３ａ】
0003139234.tif 000006
【図４】
0003139234.tif 000007
【図５】
0003139234.tif 000008
【図６】
0003139234.tif 000009
【図７】
0003139234.tif 000010
【図８】
0003139234.tif 000011